(57)【要約】【課題】表示したい画像データ量が少ない低消費電力駆動の場合に、焼付きの発生を防止する。【解決手段】有機ＥＬ表示パネルは、各画素に映像電圧を入力する映像線を有し、駆動回路を有し、前記駆動回路は、低消費電力駆動時に、制御信号を生成する内部制御信号生成回路と、前記低消費電力駆動時に、前記有機ＥＬ表示パネルに表示する固定表示パターンの画像データを格納するメモリと、前記メモリから読み出した画像データを映像電圧に変換し、前記映像線に供給する映像電圧出力手段と、前記メモリから読み出す前記画像データの読み出しタイミングを変更する手段とを有し、前記低消費電力駆動時に、前記メモリから読み出す前記画像データの読み出しタイミングを変更し、前記有機ＥＬ表示パネルに表示する前記固定表示パターンの表示位置を、各フレーム毎に変更させる。【選択図】図３
2015040987.tif 000002
【特許請求の範囲】
【請求項１】
通常駆動時と、低消費電力駆動時とを有し、
前記低消費電力駆動時に、有機ＥＬ表示パネルに固定表示パターンを表示する有機ＥＬ表示装置であって、
前記低消費電力駆動時に、前記有機ＥＬ表示パネルに表示する前記固定表示パターンの表示位置を、各フレーム毎に変更させる手段を有することを特徴とする有機ＥＬ表示装置。
【請求項２】
通常駆動時と、低消費電力駆動時とを有し、
前記低消費電力駆動時に、有機ＥＬ表示パネルに固定表示パターンを表示する有機ＥＬ表示装置であって、
前記有機ＥＬ表示パネルは、各画素に映像電圧を入力する映像線を有し、
駆動回路を有し、
前記駆動回路は、前記低消費電力駆動時に制御信号を生成する内部制御信号生成回路と、
前記低消費電力駆動時に、前記有機ＥＬ表示パネルに表示する前記固定表示パターンの画像データを格納するメモリと、
前記メモリから読み出した画像データを映像電圧に変換し、前記映像線に供給する映像電圧出力手段と、
前記メモリから読み出す前記画像データの読み出しタイミングを変更する手段とを有し、
前記低消費電力駆動時に、前記メモリから読み出す前記画像データの読み出しタイミングを変更し、前記有機ＥＬ表示パネルに表示する前記固定表示パターンの表示位置を、各フレーム毎に変更させることを特徴とする有機ＥＬ表示装置。
【請求項３】
前記固定表示パターンの表示位置は、前記各フレーム毎に所定の順番で変更されることを特徴とする請求項１または請求項２記載の有機ＥＬ表示装置。
【請求項４】
前記固定表示パターンの表示位置は、前記各フレーム毎にランダムに変更されることを特徴とする請求項１または請求項２記載の有機ＥＬ表示装置。
【発明の詳細な説明】
【技術分野】
【０００１】
本発明は、有機ＥＬ表示装置に係わり、特に、低消費電力駆動時に有効な技術に関する。
【背景技術】
【０００２】
近年、フラットディスプレイ装置の需要が増大している。特に、有機ＥＬ（Electro Luminescence）素子（ＯＬＥＤ；Oganic Light Emitting Diode）を用いた有機ＥＬ表示装置は、消費電力、軽さ、薄さ、動画特性、視野角などの点で優れており、開発、実用化も進んでいる。
スマートフォンなどに用いられる有機ＥＬ表示装置の有機表示パネルは高精細化が進んでいるが、これに伴い消費電力の増加が問題となっている。
しかし、スマートフォンであっても、使用するさまざまな状況下では常に高精細の表示が必要とされているわけではなく、時間と日付、機器の状態表示（電波強度、バッテリ残量）、通信情報（着信来歴、メール着信）などの基本的な情報の表示だけでよい場合もある。
しかしながら、有機ＥＬ表示装置では、従来の携帯電話のようなサブ画面が搭載されていないため、有機ＥＬ表示パネルを使用するスマートフォンでは、少量の情報表示においても大画面の有機ＥＬ表示パネルを動作させる必要があり、消費電力の増大につながっていた。
【先行技術文献】
【特許文献】
【０００３】
【特許文献１】特開２００６−２１１０４４号公報
【発明の概要】
【発明が解決しようとする課題】
【０００４】
携帯電話向け液晶表示装置では、部分的に駆動して消費電力を低減させるパーシャル駆動が提案されていたが、液晶表示装置では光源となる照明装置の消費電力が圧倒的に大きく電力低減効果は少なかった。
このパーシャル駆動を、有機ＥＬ表示パネルなどのように、表示階調と表示画素数で消費電力が増加する表示装置に適用すると、消費電力の低減効果は大きい。
しかしながら、有機ＥＬ表示パネルにおいて、パーシャル駆動で部分表示を行うと、常時表示される有機ＥＬ素子が劣化し、焼付きが発生する。これを回避するために、部分表示の表示位置を変更するために、ホスト側から通常動作と同様に映像を入力すると、ホスト側の消費電力が増加するという問題点があった。
なお、前述の特許文献１には、「電源の起動時に予め記憶された以前の表示位置と異なる位置に表示を行い焼付きを防止する方法」が提案されているが、電源起動の周期は制御できないため焼付き防止の効果は限定的であった。
本発明は、前記従来技術の問題点を解決するためになされたものであり、本発明の目的は、表示したい画像データ量が少ない低消費電力駆動の場合に、焼付きの発生を防止することが可能となる技術を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）通常駆動時と、低消費電力駆動時とを有し、前記低消費電力駆動時に、有機ＥＬ表示パネルに固定表示パターンを表示する有機ＥＬ表示装置であって、前記低消費電力駆動時に、前記有機ＥＬ表示パネルに表示する前記固定表示パターンの表示位置を、各フレーム毎に変更させる手段を有する。
（２）通常駆動時と、低消費電力駆動時とを有し、前記低消費電力駆動時に、有機ＥＬ表示パネルに固定表示パターンを表示する有機ＥＬ表示装置であって、前記有機ＥＬ表示パネルは、各画素に映像電圧を入力する映像線を有し、駆動回路を有し、前記駆動回路は、前記低消費電力駆動時に、制御信号を生成する内部制御信号生成回路と、前記低消費電力駆動時に、前記有機ＥＬ表示パネルに表示する前記固定表示パターンの画像データを格納するメモリと、前記メモリから読み出した画像データを映像電圧に変換し、前記映像線に供給する映像電圧出力手段と、前記メモリから読み出す前記画像データの読み出しタイミングを変更する手段とを有し、前記低消費電力駆動時に、前記メモリから読み出す前記画像データの読み出しタイミングを変更し、前記有機ＥＬ表示パネルに表示する前記固定表示パターンの表示位置を、各フレーム毎に変更させる。
（３）（１）または（２）において、前記固定表示パターンの表示位置は、前記各フレーム毎に所定の順番で、あるいは、前記各フレーム毎にランダムに変更される。
【発明の効果】
【０００６】
本願において開示される発明のうち代表的なものによって得られる効果を簡単に説明すれば、下記の通りである。
本発明の有機ＥＬ表示装置によれば、表示したい画像データ量が少ない低消費電力駆動の場合に、焼付きの発生を防止することが可能となる。
【図面の簡単な説明】
【０００７】
【図１】本発明の実施例の有機ＥＬ表示装置の概略内部構成を示すブロック図である。
【図２】本発明の実施例の有機ＥＬ表示装置における、低消費電力駆動時の走査線スキャン開始信号に対するフレームメモリの読出しタイミングを説明するためのタイミングチャートである。
【図３】本発明の実施例の有機ＥＬ表示装置における、低消費電力駆動時の固定表示パターンの表示位置の一例を説明するための概略図である。
【図４】本発明の実施例の有機ＥＬ表示装置における、低消費電力駆動時の固定表示パターンの表示位置の他の例を説明するための概略図である。
【発明を実施するための形態】
【０００８】
以下、図面を参照して本発明の実施例を詳細に説明する。
なお、実施例を説明するための全図において、同一機能を有するものは同一符号を付け、その繰り返しの説明は省略する。また、以下の実施例は、本発明の特許請求の範囲の解釈を限定するためのものではない。
［実施例］
図１は、本発明の実施例の有機ＥＬ表示装置の概略内部構成を示すブロック図である。
図１において、１は有機ＥＬ表示装置であり、本実施例の有機ＥＬ表示装置１は、スマートフォン、タブレットなどに使用される小型の有機ＥＬ表示装置である。
本実施例の有機ＥＬ表示パネルは、例えば、トップエミッション方式で、かつ、白色発光層を用い、Ｒ，Ｇ，Ｂのカラーフィルタ層を通すことで、カラー画像を得るカラーフィルタ方式の有機ＥＬ表示パネルである。
２は、スマートフォン、タブレットのメイン制御回路に内蔵、または、付属された画像処理回路であり、画像処理回路２は、画像出力回路２２１を有する。
有機ＥＬ表示装置１は、有機ＥＬ駆動回路１０、有機ＥＬ表示パネル２０を有する。有機ＥＬ表示パネル２０は、映像線（図示せず）と走査線（図示せず）とを有し、その内部に走査線（ゲートともいう）駆動回路２１が設けられている。
有機ＥＬ駆動回路１０は、外部の画像処理回路２の画像出力回路２２１からの画像データ、制御信号が入力されるインターフェース回路１１と、駆動信号を出力する表示制御回路１２と、走査線制御回路１３と、外部から入力される画像データが格納されるフレームメモリ１４と、画像制御回路１５と、映像信号出力回路１６とを有する。表示制御回路１２は、内部制御信号生成回路１２１を有する。
【０００９】
通常の駆動時では、外部の画像処理回路２の画像出力回路２２１から出力され、インターフェース回路１１を介して入力された制御信号は、表示制御回路１２に入力され、表示制御回路１２は、当該制御信号に基づき、駆動信号を生成し、走査線制御回路１３と、映像信号出力回路１６に駆動信号を送出する。
走査線制御回路１３は、表示制御回路１２から入力される駆動信号に基づき、走査線駆動回路２１を制御し、走査線駆動回路２１は、走査線制御回路１３から入力される走査線スキャン開始信号に基づき、１フレーム期間内に、有機ＥＬ表示パネル２０内の走査線に、各画素に映像電圧を書き込むための選択電圧を順次供給する。
外部の画像処理回路２の画像出力回路２２１から出力された映像データは、γ補正等の処理を行う画像制御回路１５に入力される。
画像制御回路１５は、画像データを映像信号出力回路１６に出力する。映像信号出力回路１６は、画像データを、アナログの映像電圧に変換した後、表示制御回路１２から入力される映像電圧出力タイミング信号に基づき、当該アナログの映像電圧を、有機ＥＬ表示パネル２０内の映像線に出力する。
これにより、有機ＥＬ表示パネル２０の表示領域ＡＲに画像が表示される。
【００１０】
一方、通常駆動に対して、低消費電力駆動の場合は、時間と日付、機器の状態表示（電波強度、バッテリ残量）、通信情報（着信来歴、メール着信）など基本的な情報の表示（以下、固定表示パターン）だけでよい場合もある。
このような場合に、外部の画像処理回路２の画像出力回路２２１から出力され、インターフェース回路１１を介して入力された制御信号（タイミング信号や制御コマンド）に代えて、表示制御回路１２は、内部制御信号生成回路１２１で生成される制御信号により、走査線制御回路１３と、映像信号出力回路１６を駆動するための駆動信号を生成するとともに、フレームメモリ１４から画像データを読み出すための読出しタイミング信号を生成する。
低消費電力駆動の場合は、固定表示パターンを表示するためのＲ（赤），Ｇ（緑），Ｂ（青）の画像データは、フレームメモリ１４に格納され、書き換えが行われるまで、表示制御回路１２の内部制御信号生成回路１２１で生成された読出しタイミング信号により読み出され、γ補正等の処理を行う画像制御回路１５に入力され、画像制御回路１５は、画像データを映像信号出力回路１６に出力する。
ここで、フレームメモリ１４は、低消費電力駆動時に、有機ＥＬ表示パネル２０に固定表示パターンを表示（即ち、部分表示）することが目的であるため、有機ＥＬ表示パネル２０の精細度及び表示階調に対して小さくてもよい。
さらに、フレームメモリ１４を内蔵することで、通常の動作時は、画像処理回路２の画像出力回路２２１からは、表示領域（ＡＲ）の全画素の画像データをリフレッシュ周波数の頻度で出力しているが、本実施例では、この出力に必要となる消費電力を必要最低限まで減少させることができる。
【００１１】
図２は、本発明の実施例の有機ＥＬ表示装置における、低消費電力駆動時の走査線スキャン開始信号に対するフレームメモリの読出しタイミングを説明するためのタイミングチャートである。
図２において、Ａは、低消費電力駆動時の各フレームの走査線スキャン開始信号、Ｂは、フレームメモリ１４の読出しタイミング、Ｃ１〜Ｃ４は、読み出し画像データを示す。
前述したように、低消費電力駆動の場合は、時間と日付、機器の状態表示（電波強度、バッテリ残量）、通信情報（着信来歴、メール着信）などの基本的な情報の表示（固定表示パターン）だけでよいが、このような固定表示パターンを、同一の表示位置に表示すると、当該部分の有機ＥＬ素子が劣化し、焼付き現象が発生する。
そこで、本実施例では、図２に示すように、低消費電力駆動時に、各フレームの走査線スキャン開始信号Ａに同期して、フレームメモリ１４から画像データを読み出すタイミングを、所定の周期、例えば、図２のＣ１〜Ｃ４のように変更する。
これにより、固定表示パターン（時間と日付、機器の状態表示（電波強度、バッテリ残量）、通信情報（着信来歴、メール着信）など基本的な情報の表示）の表示位置が変更され、当該部分の有機ＥＬ素子が劣化し、焼付き現象の発生を抑制することができる。
【００１２】
図３、図４は、本発明の実施例の有機ＥＬ表示装置における、低消費電力駆動時の固定表示パターンの表示位置を説明するための概略図である。
図３、図４において、１００は、低消費電力駆動時に、有機ＥＬ表示パネル２０の表示領域ＡＲに表示される固定表示パターンである。
図３に示す例では、低消費電力駆動時に、この固定表示パターン１００の表示位置が、各フレーム毎に、３Ｃ１→３Ｃ２→３Ｃ３→３Ｃ４の順に移動し、その後、始めに戻って、各フレーム毎に、３Ｃ１→３Ｃ２→３Ｃ３→３Ｃ４の順に移動し、以後同じことを繰り返す。
図４に示す例では、低消費電力駆動時に、この固定表示パターン１００の表示位置が、各フレーム毎に、３Ｃ１→３Ｃ２→３Ｃ３→３Ｃ４→３Ｃ５→３Ｃ６の順に移動し、その後、始めに戻って、各フレーム毎に、３Ｃ１→３Ｃ２→３Ｃ３→３Ｃ４→３Ｃ５→３Ｃ６の順に移動し、以後同じことを繰り返す。
なお、固定表示パターン１００の表示位置は、図３、図４に示すように、規則的変化させる代わりに、領域１０１内において、固定表示パターン１００の表示位置をランダムに変化させるようにしてもよい。
【００１３】
以上説明したように、本実施例では、低消費電力駆動時に、時間と日付、機器の状態表示（電波強度、バッテリ残量）、通信情報（着信来歴、メール着信）など基本的な情報（固定表示パターン）の表示位置が変更され、当該部分の有機ＥＬ素子が劣化し、焼付き現象の発生を抑制することができる。
なお、基本的な情報の移動量は、有機ＥＬ表示パネルの画素数に対するフレームメモリ１４の容量の割合以上に動かすことで、移動前後で固定表示パターンは重ならないが、数画素程度の移動でも、固定表示パターンの表示による焼付き現象の抑制には効果がある。
また、本実施例の低消費電力駆動時には、階調の削減、表示のリフレッシュ周波数の低減、などの低消費電力となる組み合わせることでさらなる低消費電力化を実現できる。
このように、本発明の有機ＥＬ表示装置によれば、表示したい画像データ量が少ない低消費電力駆動の場合に、焼付きを発生することなく、有機ＥＬ表示装置に供給する電力と映像送信の為の電力をそれぞれ低減することが可能となる。
以上、本発明者によってなされた発明を、前記実施例に基づき具体的に説明したが、本発明は、前記実施例に限定されるものではなく、その要旨を逸脱しない範囲において種々変更可能であることは勿論である。
【符号の説明】
【００１４】
１  有機ＥＬ表示装置
２  画像処理回路
１０  有機ＥＬ駆動回路
１１  インターフェース回路
１２  表示制御回路
１３  走査線制御回路
１４  フレームメモリ
１５  画像制御回路
１６  映像信号出力回路
２０  有機ＥＬ表示パネル
２１  走査線駆動回路
１００  固定表示パターン
１０１  領域
１２１  内部制御信号生成回路
２２１  画像出力回路
ＡＲ  表示領域
【図１】
2015040987.tif 000003
【図２】
2015040987.tif 000004
【図３】
2015040987.tif 000005
【図４】
2015040987.tif 000006